(57)【要約】      （修正有）【課題】通帳を読み取った通帳画像データに対する処理をより適切に行うことが可能な処理装置、処理システム、処理方法および処理プログラムを提供する。【解決手段】メインサーバー４は、入出金に関する取引情報が記帳された通帳を読み取った通帳画像データを取得する取得部４１０と、通帳画像データに対して処理を行う画像データ処理部４２０と、画像データ処理部４２０の処理に用いられた通帳画像データを記憶部に記憶させる第１記憶制御部４３０と、を備える。画像データ処理部４２０は、取得部４１０が新たに取得した第１通帳画像データの通帳に対応する第２通帳画像データが記憶部に記憶されている場合、第１通帳画像データと、第２通帳画像データと、の差分である差分画像データに対して処理を行う。【選択図】図８
2019045932.tif 000002
【特許請求の範囲】
【請求項１】
入出金に関する取引情報が記帳された通帳を読み取った通帳画像データを取得する取得部と、
前記通帳画像データに対して処理を行う画像データ処理部と、
前記画像データ処理部の処理に用いられた前記通帳画像データを記憶部に記憶させる第１記憶制御部と、を備え、
前記画像データ処理部は、前記取得部が新たに取得した第１通帳画像データの通帳に対応する第２通帳画像データが前記記憶部に記憶されている場合、前記第１通帳画像データと、前記第２通帳画像データと、の差分である差分画像データに対して処理を行う差分処理を実行することを特徴とする処理装置。
【請求項２】
前記取得部は、前記通帳の通帳ページを読み取った前記通帳画像データと、当該通帳画像データが読み取られた通帳ページの識別情報と、を取得し、
前記第１記憶制御部は、前記画像データ処理部の処理に用いられた前記通帳画像データを、当該通帳画像データが読み取られた通帳ページの前記識別情報と対応付けて前記記憶部に記憶させ、
前記画像データ処理部は、前記差分処理において、前記第１通帳画像データと、前記取得部が取得した前記識別情報に対応する前記第２通帳画像データと、の差分である前記差分画像データに対して処理を行うことを特徴とする請求項１に記載の処理装置。
【請求項３】
前記取得部は、前記通帳以外の証憑を読み取った画像データを取得可能であり、
前記画像データ処理部は、前記取得部が取得した前記画像データが、前記通帳画像データであるか否かを判別し、前記通帳画像データであると判定した場合に、前記差分処理を行い、前記通帳画像データではないと判定した場合に、前記差分処理を行わず、前記取得部が取得した前記画像データに対して処理を行うことを特徴とする請求項１または２に記載の処理装置。
【請求項４】
前記画像データ処理部の処理に用いられた前記通帳画像データと、前記通帳画像データに対する前記画像データ処理部の処理により生成された処理データと、を対応付けて外部記憶装置に記憶させる第２記憶制御部を備えることを特徴とする請求項１ないし３のいずれか１項に記載の処理装置。
【請求項５】
前記差分処理が行われた場合、
前記第２記憶制御部は、前記画像データ処理部の処理に用いられた前記通帳画像データに、前記差分画像データから特定される前記取引情報と、その他の前記取引情報と、を識別可能とするための画像処理を施して、前記外部記憶装置に記憶させることを特徴とする請求項４に記載の処理装置。
【請求項６】
前記第２記憶制御部は、前記画像データ処理部の処理に用いられた前記通帳画像データに前記画像処理を施したデータと、前記処理データと、前記第１通帳画像データと、を対応付けて前記外部記憶装置に記憶させることを特徴とする請求項５に記載の処理装置。
【請求項７】
前記処理データから特定される前記取引情報の数に応じて、課金処理を行う課金処理部を備えることを特徴とする請求項４ないし６のいずれか１項に記載の処理装置。
【請求項８】
情報処理端末とサーバーとがネットワークを介して接続される処理システムであって、
前記サーバーは、
前記情報処理端末から、入出金に関する取引情報が記帳された通帳を読み取った通帳画像データを取得する取得部と、
前記通帳画像データに対して処理を行う画像データ処理部と、
前記画像データ処理部の処理に用いられた前記通帳画像データを記憶部に記憶させる第１記憶制御部と、を備え、
前記画像データ処理部は、前記取得部が新たに取得した第１通帳画像データの通帳に対応する第２通帳画像データが前記記憶部に記憶されている場合、前記第１通帳画像データと、前記第２通帳画像データと、の差分である差分画像データに対して処理を行う差分処理を実行することを特徴とする処理システム。
【請求項９】
コンピューターが、
入出金に関する取引情報が記帳された通帳を読み取った通帳画像データを取得する取得ステップと、
前記通帳画像データに対して処理を行う画像データ処理ステップと、
前記画像データ処理ステップの処理に用いられた前記通帳画像データを記憶部に記憶させる第１記憶制御ステップと、を実行し、
前記画像データ処理ステップは、前記取得ステップにて新たに取得された第１通帳画像データの通帳に対応する第２通帳画像データが前記記憶部に記憶されている場合、前記第１通帳画像データと、前記第２通帳画像データと、の差分である差分画像データに対して処理を行う差分処理を実行することを特徴とする処理方法。
【請求項１０】
コンピューターに、
入出金に関する取引情報が記帳された通帳を読み取った通帳画像データを取得する取得ステップと、
前記通帳画像データに対して処理を行う画像データ処理ステップと、
前記画像データ処理ステップの処理に用いられた前記通帳画像データを記憶部に記憶させる第１記憶制御ステップと、を実行させるための処理プログラムであって、
前記画像データ処理ステップは、前記取得ステップにて新たに取得された第１通帳画像データの通帳に対応する第２通帳画像データが前記記憶部に記憶されている場合、前記第１通帳画像データと、前記第２通帳画像データと、の差分である差分画像データに対して処理を行う差分処理を実行することを特徴とする処理プログラム。
【発明の詳細な説明】
【技術分野】
【０００１】
本発明は、通帳を読み取った通帳画像データに対して処理を行う処理装置、処理システム、処理方法および処理プログラムに関する。
【背景技術】
【０００２】
従来、通帳を読み取った通帳画像データを取得してＯＣＲ（Optical Character Recognition/Reader）処理を行い、通帳に記帳された取引情報が、入金に関するものであるか出金に関するものであるかを判別し、その判別結果に応じて、入金欄および出金欄を含む帳票を作成する会計処理システムが知られている（例えば、特許文献１）。この会計処理システムによれば、通帳に記帳された取引情報の仕訳を自動で行うことができる。
【先行技術文献】
【特許文献】
【０００３】
【特許文献１】特開２０１７−０１０３１２号公報
【発明の概要】
【発明が解決しようとする課題】
【０００４】
ところで、通帳は、記帳のたびに取引情報が追加されていく。このため、処理装置が、通帳画像データに対して処理を行う場合、ページの途中までしか取引情報が記帳されていないページについて処理を行った後、取引情報が追加された同じページについて処理を行う場合がある。ところが、特許文献１では、このような場合、処理済みの取引情報についても、再度仕訳等の処理を行わなければならず、非効率である。
【０００５】
本発明は、上記の問題点に鑑み、通帳を読み取った通帳画像データに対する処理をより適切に行うことが可能な処理装置、処理システム、処理方法および処理プログラムを提供することを目的とする。
【課題を解決するための手段】
【０００６】
本発明の処理装置は、入出金に関する取引情報が記帳された通帳を読み取った通帳画像データを取得する取得部と、通帳画像データに対して処理を行う画像データ処理部と、画像データ処理部の処理に用いられた通帳画像データを記憶部に記憶させる第１記憶制御部と、を備え、画像データ処理部は、取得部が新たに取得した第１通帳画像データの通帳に対応する第２通帳画像データが記憶部に記憶されている場合、第１通帳画像データと、第２通帳画像データと、の差分である差分画像データに対して処理を行う差分処理を実行することを特徴とする。
【０００７】
本発明の処理システムは、情報処理端末とサーバーとがネットワークを介して接続される処理システムであって、サーバーは、情報処理端末から、入出金に関する取引情報が記帳された通帳を読み取った通帳画像データを取得する取得部と、通帳画像データに対して処理を行う画像データ処理部と、画像データ処理部の処理に用いられた通帳画像データを記憶部に記憶させる第１記憶制御部と、を備え、画像データ処理部は、取得部が新たに取得した第１通帳画像データの通帳に対応する第２通帳画像データが記憶部に記憶されている場合、第１通帳画像データと、第２通帳画像データと、の差分である差分画像データに対して処理を行う差分処理を実行することを特徴とする。
【０００８】
本発明の処理方法は、コンピューターが、入出金に関する取引情報が記帳された通帳を読み取った通帳画像データを取得する取得ステップと、通帳画像データに対して処理を行う画像データ処理ステップと、画像データ処理ステップの処理に用いられた通帳画像データを記憶部に記憶させる第１記憶制御ステップと、を実行し、画像データ処理ステップは、取得ステップにて新たに取得された第１通帳画像データの通帳に対応する第２通帳画像データが記憶部に記憶されている場合、第１通帳画像データと、第２通帳画像データと、の差分である差分画像データに対して処理を行う差分処理を実行することを特徴とする。
【０００９】
本発明の処理プログラムは、コンピューターに、入出金に関する取引情報が記帳された通帳を読み取った通帳画像データを取得する取得ステップと、通帳画像データに対して処理を行う画像データ処理ステップと、画像データ処理ステップの処理に用いられた通帳画像データを記憶部に記憶させる第１記憶制御ステップと、を実行させるための処理プログラムであって、画像データ処理ステップは、取得ステップにて新たに取得された第１通帳画像データの通帳に対応する第２通帳画像データが記憶部に記憶されている場合、第１通帳画像データと、第２通帳画像データと、の差分である差分画像データに対して処理を行う差分処理を実行することを特徴とする。
【００１０】
これらの構成によれば、取得部が新たに取得した通帳画像データである第１通帳画像データと、記憶部に記憶されている処理済みの通帳画像データであって第１通帳画像データの通帳に対応する第２通帳画像データと、の差分である差分画像データに対して処理を行うことにより、処理済みの通帳画像データに対し、重複して処理を行うことを防止できる。これにより、通帳を読み取った通帳画像データに対する処理をより適切に行うことができる。
なお、画像データ処理部（画像データ処理ステップ）は、取得部が新たに取得した（取得ステップにて新たに取得された）第１通帳画像データの通帳に対応する第２通帳画像データが記憶部に記憶されていない場合、第１通帳画像データに対して処理を行うことが好ましい。
【００１１】
上記の処理装置において、取得部は、通帳の通帳ページを読み取った通帳画像データと、当該通帳画像データが読み取られた通帳ページの識別情報と、を取得し、第１記憶制御部は、画像データ処理部の処理に用いられた通帳画像データを、当該通帳画像データが読み取られた通帳ページの識別情報と対応付けて記憶部に記憶させ、画像データ処理部は、差分処理において、第１通帳画像データと、取得部が取得した識別情報に対応する第２通帳画像データと、の差分である差分画像データに対して処理を行うことを特徴とする。
【００１２】
この構成によれば、一つの処理装置で、複数の通帳ページの通帳画像データに対して処理を行うことができる。
なお、「通帳ページ」とは、通帳の片面１ページまたは見開き２ページを指す。
【００１３】
上記の処理装置において、取得部は、通帳以外の証憑を読み取った画像データを取得可能であり、画像データ処理部は、取得部が取得した画像データが、通帳画像データであるか否かを判別し、通帳画像データであると判定した場合に、差分処理を行い、通帳画像データではないと判定した場合に、差分処理を行わず、取得部が取得した画像データに対して処理を行うことを特徴とする。
【００１４】
この構成によれば、一つの処理装置で、通帳だけでなく、通帳以外の証憑に対して処理を行うことができる。
【００１５】
上記の処理装置において、画像データ処理部の処理に用いられた通帳画像データと、通帳画像データに対する画像データ処理部の処理により生成された処理データと、を対応付けて外部記憶装置に記憶させる第２記憶制御部を備えることを特徴とする。
【００１６】
この構成によれば、画像データ処理部の処理に用いられた通帳画像データと、通帳画像データに対する画像データ処理部の処理により生成された処理データと、を、会計処理等に用いることができる。
【００１７】
上記の処理装置において、差分処理が行われた場合、第２記憶制御部は、画像データ処理部の処理に用いられた通帳画像データに、差分画像データから特定される取引情報と、その他の取引情報と、を識別可能とするための画像処理を施して、外部記憶装置に記憶させることを特徴とする。
【００１８】
この構成によれば、ユーザーは、画像処理が施された通帳画像データを参照することにより、今回処理された取引情報（差分画像データから特定される取引情報）と、その他の取引情報と、を識別することができる。
【００１９】
上記の処理装置において、第２記憶制御部は、画像データ処理部の処理に用いられた通帳画像データに画像処理を施したデータと、処理データと、第１通帳画像データと、を対応付けて外部記憶装置に記憶させることを特徴とする。
【００２０】
この構成によれば、画像処理を施したデータと、処理データと、の他、通帳原本の読み取り結果を示す通帳画像データ（第１通帳画像データ）を、会計処理等に用いることができる。
【００２１】
上記の処理装置において、処理データから特定される取引情報の数に応じて、課金処理を行う課金処理部を備えることを特徴とする。
【００２２】
この構成によれば、課金処理に伴って収益を得ることができる。
【図面の簡単な説明】
【００２３】
【図１】本発明の一実施形態に係る処理システムのシステム構成図である。
【図２】スキャナーのハードウェア構成を示すブロック図である。
【図３】携帯端末のハードウェア構成を示すブロック図である。
【図４】メインサーバーのハードウェア構成を示すブロック図である。
【図５】ストレージサーバーのハードウェア構成を示すブロック図である。
【図６】プリンターのハードウェア構成を示すブロック図である。
【図７】会計事務所ＰＣのハードウェア構成を示すブロック図である。
【図８】メインサーバーの機能構成を示すブロック図である。
【図９】取引情報が記帳された通帳の一例を示す図である。
【図１０】図９の通帳に取引情報が追加で記帳された通帳の一例を示す図である。
【図１１】通帳画像データの表示例を示す図である。
【図１２】処理データの表示例を示す図である。
【図１３】携帯端末処理の流れを示すフローチャートである。
【図１４】メインサーバー処理の流れを示すフローチャートである。
【図１５】変形例１に係る通帳画像データの表示例を示す図である。
【発明を実施するための形態】
【００２４】
以下、添付の図面を参照して、本発明の処理装置、処理システム、処理方法および処理プログラムの一実施形態を説明する。図１は、本発明の一実施形態に係る処理システムＳＹのシステム構成図である。処理システムＳＹは、スキャナー１と、携帯端末２と、メインサーバー４と、ストレージサーバー５と、プリンター７と、会計事務所ＰＣ（Personal Computer）８と、を含む。携帯端末２は、「情報処理端末」の一例である。また、メインサーバー４は、「処理装置」および「サーバー」の一例である。また、ストレージサーバー５は、「外部記憶装置」の一例である。
【００２５】
同図に示すように、スキャナー１と携帯端末２は、ケーブル等の通信線３を介して接続される。また、携帯端末２とメインサーバー４は、第１のネットワークＮＷ１を介して接続され、メインサーバー４とストレージサーバー５は、第２のネットワークＮＷ２を介して接続される。また、メインサーバー４とプリンター７は、第３のネットワークＮＷ３を介して接続され、ストレージサーバー５と会計事務所ＰＣ８は、第４のネットワークＮＷ４を介して接続される。
【００２６】
本実施形態では、メインサーバー４およびストレージサーバー５として、クラウドサーバーを用いることを想定しているため、ネットワークＮＷ１〜ＮＷ４として、インターネット通信網を用いるが、他の通信網を用いてもよい。また、ネットワークＮＷ１〜ＮＷ４は、共通するネットワークでなく、異なるネットワークでもよい。また、各ネットワークＮＷ１〜ＮＷ４を、複数のネットワークの組み合わせにより実現してもよい。また、ネットワークの通信形態は、無線通信でもよいし有線通信でもよい。さらに、スキャナー１と携帯端末２を接続する通信線３に代えて、無線ＬＡＮまたは有線ＬＡＮ等のネットワークを用いてもよい。
【００２７】
本実施形態において、メインサーバー４およびストレージサーバー５は、証憑読み取りサービスを提供する証憑読み取りサービス提供者が運営および管理することを想定している。「証憑読み取りサービス」とは、例えば、通帳９０（図９等参照）、領収書、請求書等の証憑を読み取った画像データ（以下、「証憑画像データ」と称する）の管理と、証憑画像データに対する処理と、を含む会計事務所向けのサービスを指す。また、「通帳」とは、貯金通帳、預金通帳など、入出金に関する取引情報Ａが記帳された冊子を指す。一方、プリンター７および会計事務所ＰＣ８は、証憑読み取りサービス提供者と契約している会計事務所に設置される。また、スキャナー１および携帯端末２は、会計事務所の担当者が顧問先で用いることを想定している。
【００２８】
スキャナー１は、証憑をスキャンし、証憑画像データを読み取る。また、携帯端末２は、スキャナー１によって読み取られた証憑画像データをメインサーバー４にアップロードする。
【００２９】
メインサーバー４は、携帯端末２からアップロードされた証憑画像データを取得してＯＣＲ処理を行い、そのＯＣＲ処理により得られた文字情報の中から、必要な文字情報を抽出した処理データを生成する。以下、これらＯＣＲ処理や処理データを生成する処理を含む処理（後述する画像データ処理部４２０の処理）を、「画像データ処理」と称する。画像データ処理は、本発明の「処理」の一例である。また、メインサーバー４は、アップロードされた証憑画像データと、処理データと、を含む証憑ファイルをストレージサーバー５に出力する。ストレージサーバー５は、メインサーバー４から証憑ファイルを取得し、証憑ファイルデータベース５５ｂ（以下、データベースを「ＤＢ」と表記する，図５参照）に記憶する。さらに、メインサーバー４は、アップロードされた証憑画像データに基づいて印刷データを生成し、プリンター７に出力する。メインサーバー４が印刷データをプリンター７に出力するタイミングは、印刷データの生成直後、若しくは、携帯端末２または会計事務所ＰＣ８からの印刷指示があったとき、などである。
【００３０】
プリンター７は、メインサーバー４から出力された印刷データに基づいて、証憑のコピーを印刷する。プリンター７としては、インターネット網（第３のネットワークＮＷ３）を介して印刷データを受信可能なクラウドプリンターが想定される。会計事務所ＰＣ８は、ストレージサーバー５にアクセスし、証憑ファイルＤＢ５５ｂに記憶された証憑ファイルを取得する。また、会計事務所ＰＣ８は、取得した証憑ファイル（主に、処理データ）に基づいて、仕訳処理等の会計処理を行う。
【００３１】
次に、図２ないし図７を参照し、処理システムＳＹを構成する各機器のハードウェア構成を説明する。図２は、スキャナー１のハードウェア構成を示すブロック図である。スキャナー１は、例えばハンディスキャナーであり、ＣＰＵ（Central Processing Unit）１１、ＲＯＭ（Read Only Memory）１２、ＲＡＭ（Random Access Memory）１３、通信インターフェース（以下、インターフェースを「Ｉ／Ｆ」と表記する）１４、操作ボタン１５および読取機構１６を備える。
【００３２】
ＣＰＵ１１は、スキャナー１内の各部と信号の入出力を行い、各種演算処理を行う。ＲＯＭ１２は、不揮発性の記憶媒体であり、スキャナー１のファームウェアを記憶する。ＲＡＭ１３は、揮発性の記憶媒体であり、ＣＰＵ１１のワークエリアとして用いられる。通信Ｉ／Ｆ１４は、通信線３を介して携帯端末２と通信する。操作ボタン１５は、各種操作を行う操作手段として用いられる。読取機構１６は、原稿から画像データを光学的に読み取るものであり、原稿を走査する光源や、原稿で反射された光を電気信号に変換するイメージセンサーを含む。
【００３３】
図３は、携帯端末２のハードウェア構成を示すブロック図である。携帯端末２は、例えばスマートフォンであり、ＣＰＵ２１、フラッシュＲＯＭ２２、ＲＡＭ２３、通信Ｉ／Ｆ２４、カメラモジュール２５およびタッチパネル２６を備える。
【００３４】
ＣＰＵ２１は、携帯端末２内の各部と信号の入出力を行い、各種演算処理を行う。フラッシュＲＯＭ２２は、不揮発性且つ書き換え可能な記憶媒体であり、ＯＳ（Operating System）の他、Ｗｅｂブラウザー２２ａおよび専用アプリケーション２２ｂ等を記憶する。Ｗｅｂブラウザー２２ａは、Ｗｅｂページを表示するために用いられる。また、専用アプリケーション２２ｂは、スキャナー１から取得した証憑画像データをメインサーバー４にアップロードするために用いられる。なお、ＣＰＵ２１は、証憑画像データをメインサーバー４にアップロードする場合、付加情報を付加してアップロードする。また、ＣＰＵ２１は、通帳９０の通帳ページを読み取った通帳画像データをアップロードする場合、付加情報に、通帳画像データが読み取られた通帳ページの識別情報を含める。本実施形態において「通帳ページ」とは、通帳９０の見開き２ページを指し、「通帳画像データ」は、通帳９０の見開き２ページを読み取った画像データを指す。一方、ＲＡＭ２３は、ＣＰＵ２１のワークエリアとして用いられる。
【００３５】
通信Ｉ／Ｆ２４は、通信線３を介してスキャナー１と通信し、第１のネットワークＮＷ１を介してメインサーバー４と通信する。なお、図３では１つのインターフェースとして図示しているが、実際にはそれぞれの通信プロトコルに対応した複数のインターフェースを備えることとなる。
【００３６】
カメラモジュール２５は、被写体像を形成する撮像レンズや、撮像レンズにより形成された被写体像を光電変換する撮像素子を含む。タッチパネル２６は、ディスプレーおよびタッチ式センサーを一体形成したものであり、表示手段および入力手段として用いられる。なお、携帯端末２は、スキャナー１から証憑画像データを取得するのではなく、カメラモジュール２５を用いて証憑を撮像することにより、証憑画像データを取得してもよい。
【００３７】
図４は、メインサーバー４のハードウェア構成を示すブロック図である。メインサーバー４は、ＣＰＵ４１、ＲＯＭ４２、ＲＡＭ４３、通信Ｉ／Ｆ４４およびＨＤＤ（Hard Disc Drive）４５を備える。
【００３８】
ＣＰＵ４１は、メインサーバー４内の各部と信号の入出力を行い、各種演算処理を行う。ＲＯＭ４２は、ＢＩＯＳ（Basic Input Output System）等のプログラムを記憶する。ＲＡＭ４３は、ＣＰＵ４１のワークエリアとして用いられる。通信Ｉ／Ｆ４４は、第１のネットワークＮＷ１を介して携帯端末２と通信し、第２のネットワークＮＷ２を介してストレージサーバー５と通信し、第３のネットワークＮＷ３を介してプリンター７と通信する。通信Ｉ／Ｆ４４は、ネットワークＮＷ１，ＮＷ２，ＮＷ３の通信プロトコルが異なる場合、それぞれの通信プロトコルに対応した複数のインターフェースを含む。
【００３９】
ＨＤＤ４５は、不揮発性の補助記憶装置であり、ＯＳの他、Ｗｅｂアプリケーション４５ａ、メインプログラム４５ｂ、通帳画像データＤＢ４５ｃおよびポイント管理ＤＢ４５ｄ等を記憶する。通帳画像データＤＢ４５ｃは、「記憶部」の一例である。
【００４０】
Ｗｅｂアプリケーション４５ａは、携帯端末２によりＷｅｂブラウザー２２ａ（図３参照）を用いて操作される。Ｗｅｂアプリケーション４５ａは、主に、携帯端末２のユーザーが、証憑画像データのアップロード操作を行うためのＷｅｂページを提供する。
【００４１】
メインプログラム４５ｂは、携帯端末２からアップロードされた証憑画像データに対する画像データ処理に用いられる。ＣＰＵ４１は、画像データ処理として、アップロードされた証憑画像データが通帳画像データであるか否かを判別する処理、通帳画像データであると判別した場合であって同じ通帳９０の通帳画像データが通帳画像データＤＢ４５ｃに記憶されている場合、その差分となる差分画像データを生成する処理、差分画像データを生成した場合、その差分画像データに対してＯＣＲ処理等を行った処理データを生成する処理、などを行う。また、メインプログラム４５ｂは、画像データ処理が行われた通帳画像データを通帳画像データＤＢ４５ｃに記憶させる処理や、画像データ処理により生成された処理データとアップロードされた証憑画像データとを含む証憑ファイルを、ストレージサーバー５に出力する処理、にも用いられる。
【００４２】
通帳画像データＤＢ４５ｃは、上記のとおり、画像データ処理が行われた通帳画像データを記憶する。なお、同じ通帳９０且つ同じ通帳ページ（以下、単に「同じ通帳ページ」と称する）の通帳画像データを複数回取得した場合は、前回取得した通帳画像データに上書きし、最後に取得した通帳画像データのみを記憶する。
【００４３】
ポイント管理ＤＢ４５ｄは、証憑読み取りサービス提供者が、会計事務所から事前に入金された金額に応じて付与したポイントの残数を記憶する。ＣＰＵ４１は、処理データから特定される取引数に応じたポイントを、証憑画像データをアップロードした携帯端末２のログイン情報から特定される会計事務所に付与されたポイントから減算する。なお、取引数とは、証憑が通帳９０の場合、通帳９０に記載された取引情報Ａ（図９等参照）の数を指す。また、証憑が領収書や請求書の場合は、通常、一枚の領収書または請求書を一取引としてカウントする。
【００４４】
図５は、ストレージサーバー５のハードウェア構成を示すブロック図である。ストレージサーバー５は、ＣＰＵ５１、ＲＯＭ５２、ＲＡＭ５３、通信Ｉ／Ｆ５４およびＨＤＤ５５を備える。
【００４５】
ＣＰＵ５１は、ストレージサーバー５内の各部と信号の入出力を行い、各種演算処理を行う。ＲＯＭ５２は、ＢＩＯＳ等のプログラムを記憶する。ＲＡＭ５３は、ＣＰＵ５１のワークエリアとして用いられる。通信Ｉ／Ｆ５４は、第２のネットワークＮＷ２を介してメインサーバー４と通信し、第４のネットワークＮＷ４を介して会計事務所ＰＣ８と通信する。通信Ｉ／Ｆ５４は、ネットワークＮＷ２，ＮＷ４の通信プロトコルが異なる場合、それぞれの通信プロトコルに対応した複数のインターフェースを含む。
【００４６】
ＨＤＤ５５は、ＯＳの他、Ｗｅｂアプリケーション５５ａおよび証憑ファイルＤＢ５５ｂ等を記憶する。Ｗｅｂアプリケーション５５ａは、会計事務所ＰＣ８によりＷｅｂブラウザー８４ａ（図７参照）を用いて操作される。Ｗｅｂアプリケーション５５ａは、主に、会計事務所ＰＣ８のユーザーが、所望の証憑ファイルを検索するためのＷｅｂページを提供する。
【００４７】
証憑ファイルＤＢ５５ｂは、メインサーバー４から取得した証憑ファイルを記憶する。証憑ファイルは、証憑を読み取った証憑画像データと、その証憑画像データに対する画像データ処理により生成された処理データと、を含む。例えば、証憑画像データが通帳画像データである場合、証憑ファイルは、通帳ページを読み取った通帳画像データと、その通帳画像データを処理した処理データ（通帳９０の見開き２ページ分に含まれる取引情報Ａに関するデータ）と、を含む。
【００４８】
図６は、プリンター７のハードウェア構成を示すブロック図である。プリンター７は、ＣＰＵ７１、ＲＯＭ７２、ＲＡＭ７３、通信Ｉ／Ｆ７４、操作パネル７５および印刷機構７６を備える。
【００４９】
ＣＰＵ７１は、プリンター７内の各部と信号の入出力を行い、各種演算処理を行う。ＲＯＭ７２は、プリンター７のファームウェアを記憶する。ＲＡＭ７３は、ＣＰＵ７１のワークエリアとして用いられる。通信Ｉ／Ｆ７４は、第３のネットワークＮＷ３を介してメインサーバー４と通信する。操作パネル７５は、各種操作を行う操作手段として用いられる。印刷機構７６は、インクジェット方式または電子写真方式等により、コピー用紙等の印刷媒体に印刷を行うものである。
【００５０】
図７は、会計事務所ＰＣ８のハードウェア構成を示すブロック図である。会計事務所ＰＣ８は、ＣＰＵ８１、ＲＯＭ８２、ＲＡＭ８３、ＨＤＤ８４、通信Ｉ／Ｆ８５、キーボード８６、マウス８７およびディスプレー８８を備える。
【００５１】
ＣＰＵ８１は、会計事務所ＰＣ８内の各部と信号の入出力を行い、各種演算処理を行う。ＲＯＭ８２は、ＢＩＯＳ等のプログラムを記憶する。ＲＡＭ８３は、ＣＰＵ８１のワークエリアとして用いられる。ＨＤＤ８４は、ＯＳの他、Ｗｅｂブラウザー８４ａおよび会計処理アプリケーション８４ｂ等を記憶する。Ｗｅｂブラウザー８４ａは、Ｗｅｂページ（証憑ファイルを検索するための操作画面など）を表示するために用いられる。また、会計処理アプリケーション８４ｂは、ストレージサーバー５の証憑ファイルＤＢ５５ｂから読み出した証憑ファイルの表示、並びに処理データに基づく取引情報Ａの仕訳処理（勘定科目の付与など）や出納帳の作成処理等に用いられる。
【００５２】
通信Ｉ／Ｆ８５は、第４のネットワークＮＷ４を介してストレージサーバー５と通信する。キーボード８６およびマウス８７は、会計処理アプリケーション８４ｂの操作など、各種操作を行う操作手段として用いられる。ディスプレー８８は、会計処理アプリケーション８４ｂの操作画面など、各種情報を表示する表示手段として用いられる。
【００５３】
次に、図８を参照し、メインサーバー４の機能構成を説明する。メインサーバー４は、機能構成として、取得部４１０、画像データ処理部４２０、第１記憶制御部４３０、第２記憶制御部４４０および課金処理部４５０を備える。これらの機能は、いずれもＣＰＵ４１が、Ｗｅｂアプリケーション４５ａおよびメインプログラム４５ｂに基づいて演算処理を行うことにより実現される。
【００５４】
取得部４１０は、携帯端末２からアップロードされた証憑画像データと、当該証憑画像データに付加された付加情報と、を取得する（画像データ取得ステップ）。例えば、証憑として、通帳９０の通帳ページが読み取られた場合、取得部４１０は、通帳ページを読み取った通帳画像データと、通帳ページの識別情報を含む付加情報と、を取得する。通帳ページの識別情報とは、その通帳ページを有する通帳９０の通帳種類、金融機関名、金融機関コード、支店名、店番、口座番号、口座名義、および通帳ページのページ番号のうち、１以上の情報を指す。
【００５５】
ここで、図９および図１０を参照し、通帳９０に記帳される取引情報Ａについて説明する。両図は、通帳９０の見開き２ページ分の記帳例を示している。また、図９は、３件の取引情報Ａが記帳された場合を示している。各取引情報Ａは、日付（「年月日」欄）、摘要、出金額（「お支払金額」欄）、入金額（「お預り金額」欄）、差引残高、取引先情報（「お支払金額」欄または「お預り金額」欄）を含む。また、通帳９０には、取引情報Ａの他、通帳種類９１、ページ番号９２および項目名９３などが予め印刷されている。
【００５６】
一方、図１０は、図９に示した通帳９０に、２件分の取引情報Ａが追加で記帳された場合の記帳例を示している（符号９４参照）。後述する画像データ処理部４２０の説明では、図９に示した通帳ページを読み取った通帳画像データが、メインサーバー４の通帳画像データＤＢ４５ｃに記憶されており、新たに、図１０に示した通帳ページを読み取った通帳画像データが携帯端末２からアップロードされた場合を説明する。
【００５７】
図８の説明に戻る。画像データ処理部４２０は、画像データ処理を行うものであり（画像データ処理ステップ）、画像データ判別部４２１、処理対象決定部４２２、ＯＣＲ処理部４２３および処理データ生成部４２４を含む。
【００５８】
画像データ判別部４２１は、取得部４１０が取得した証憑画像データが、通帳画像データであるか否かを判別する。この判別は、証憑画像データと共にアップロードされた付加情報に含まれる証憑種類を示す情報に基づいて行う。証憑種類とは、通帳９０、領収書、請求書のいずれかを示す情報を指す。
【００５９】
処理対象決定部４２２は、画像データ処理の処理対象を決定する。例えば、画像データ判別部４２１により、取得部４１０が取得した証憑画像データが通帳画像データであると判別された場合であって、同じ通帳ページの通帳画像データが通帳画像データＤＢ４５ｃに記憶されている場合、取得部４１０が新たに取得した通帳画像データである第１通帳画像データと、通帳画像データＤＢ４５ｃに記憶されている通帳画像データである第２通帳画像データと、の差分である差分画像データを生成し、生成した差分画像データを処理対象として決定する。ここで、図１０に示した通帳９０を読み取った通帳画像データが、第１通帳画像データの一例であり、図９に示した通帳９０を読み取った通帳画像データが、第２通帳画像データの一例である。また、同じ通帳ページの通帳画像データが通帳画像データＤＢ４５ｃに記憶されているか否かの判別は、取得部４１０が取得した識別情報と同じ識別情報が対応付けられた通帳画像データが記憶されているか否かに応じて判定する。処理対象決定部４２２により、差分画像データが処理対象として決定された場合、後述するＯＣＲ処理部４２３および処理データ生成部４２４により、差分データに対する処理（差分処理）が行われる。
【００６０】
また、処理対象決定部４２２は、取得された証憑画像データが通帳画像データであると判別された場合であって、通帳画像データＤＢ４５ｃに、同じ通帳ページの通帳画像データが記憶されていない場合、取得部４１０が取得した通帳画像データを処理対象として決定する。さらに、処理対象決定部４２２は、取得された証憑画像データが通帳画像データではないと判別された場合、取得部４１０が取得した証憑画像データ（領収書画像データまたは請求書画像データ）を処理対象として決定する。
【００６１】
ＯＣＲ処理部４２３は、処理対象決定部４２２により決定された処理対象（差分画像データなど）に対し、ＯＣＲ処理を行う。例えば、処理対象が通帳画像データである場合（第１通帳画像データまたは差分画像データである場合）、通帳９０に記帳された取引情報Ａの文字を文字コードに変換し、文字情報を生成する。
【００６２】
処理データ生成部４２４は、ＯＣＲ処理部４２３によるＯＣＲ処理により得られた文字情報の中から、必要な文字情報を抽出した処理データを生成する。ここで、必要な文字情報とは、例えば、処理対象が通帳画像データである場合、日付、出金額、入金額および取引先を示す情報である（図１２参照）。
【００６３】
一方、第１記憶制御部４３０は、処理対象が通帳画像データである場合、画像データ処理部４２０の処理に用いられた通帳画像データを、通帳画像データが読み取られた通帳ページの識別情報と対応付けて、通帳画像データＤＢ４５ｃに記憶させる（第１記憶制御ステップ）。画像データ処理部４２０の処理に用いられた通帳画像データとは、画像データ処理部４２０の処理が支障なく行われた場合、取得部４１０が取得した通帳画像データ（第１通帳画像データ）を指す。
【００６４】
第２記憶制御部４４０は、画像データ処理部４２０の処理に用いられた証憑画像データと、証憑画像データに対する画像データ処理部４２０の処理により生成された処理データと、を対応付けた証憑ファイルを、ストレージサーバー５内の証憑ファイルＤＢ５５ｂに記憶させる。このとき、第２記憶制御部４４０は、証憑ファイルと共に、メインサーバー４が携帯端末２に提供するＷｅｂページのログイン情報に含まれる会計事務所ＩＤと、アップロードされた日時を示す日時情報と、を対応付けて記憶させる。また、第２記憶制御部４４０は、画像データ処理部４２０の処理対象が通帳画像データである場合、通帳ページの識別情報を、さらに対応付けて記憶させる。
【００６５】
これらの構成により、会計事務所ＰＣ８のユーザーは、会計事務所ＩＤ、日時情報、通帳ページの識別情報を用いて、証憑ファイルＤＢ５５ｂの中から、所望の証憑ファイルを検索し、会計事務所ＰＣ８のディスプレー８８に表示させることができる。図１１は、証憑ファイルに含まれる通帳画像データを、会計事務所ＰＣ８のディスプレー８８に表示した表示例を示す図である。通帳画像データ（証憑画像データ）は、例えばＰＤＦ等のイメージデータである。また、図１２は、証憑ファイルに含まれる処理データを、会計事務所ＰＣ８のディスプレー８８に表示した表示例を示す図である。処理データは、例えばテキストデータである。会計事務所ＰＣ８は、同図に示すように、処理データとして、日付、出金額、入金額および取引先を示す情報を、まとめて表形式で表示させてもよいし、これらの情報の一部を、所定のフォーマット上の入力欄に表示させてもよい。
【００６６】
図８の説明に戻る。課金処理部４５０は、処理データから特定される取引数に応じて、課金処理を行う。例えば、課金処理部４５０は、画像データ処理部４２０の処理対象が通帳画像データである場合、処理データから特定される取引情報Ａの数に応じて、課金処理を行う。つまり、画像データ処理部４２０の処理対象が差分画像データである場合は、差分画像データから特定される取引情報Ａの数に応じて、課金処理を行う。したがって、図９に示した通帳９０を読み取った通帳画像データが予め通帳画像データＤＢ４５ｃに記憶されており、図１０に示した通帳９０を読み取った通帳画像データが新たに携帯端末２からアップロードされた場合、２件分の取引情報Ａ（符号９４参照）について課金処理を行う。本実施形態では、課金処理として、メインサーバー４に証憑画像データがアップロードされた際のログイン情報に含まれる会計事務所ＩＤに対応付けられた会計事務所の残ポイント数から、取引数に応じたポイントの減算を行う。
【００６７】
次に、図１３を参照し、携帯端末２による携帯端末処理の流れを説明する。携帯端末２（ＣＰＵ２１）は、会計事務所ＩＤおよびパスワードが入力されることにより、メインサーバー４のＷｅｂページにログインする（Ｓ０１）。また、携帯端末２は、Ｗｅｂページに表示される操作画面にしたがって入力される顧問先ＩＤを取得する（Ｓ０２）。さらに、携帯端末２は、Ｗｅｂページに表示される操作画面にしたがって入力される証憑種類（通帳９０、領収書、請求書のいずれか）を取得する（Ｓ０３）。
【００６８】
その後、携帯端末２は、証憑種類として通帳９０が入力されたか否かを判別し（Ｓ０４）、通帳９０が入力されたと判定した場合は（Ｓ０４：Ｙｅｓ）、操作画面にしたがって入力される通帳ページの識別情報を取得する（Ｓ０５）。また、携帯端末２は、スキャナー１に対し、証憑画像データの読み取りを指示して証憑画像データを取得する（Ｓ０６）。例えば、証憑種類として通帳９０が入力された場合は、通帳９０の見開き２ページ分（図９等参照）を１証憑分の通帳画像データとして取得する。携帯端末２は、証憑画像データを取得すると、当該証憑画像データと、顧問先ＩＤ、証憑種類、通帳ページの識別情報を含む付加情報と、を、メインサーバー４にアップロードする（Ｓ０７）。
【００６９】
次に、図１４を参照し、メインサーバー４によるメインサーバー処理の流れを説明する。メインサーバー４（ＣＰＵ４１）は、携帯端末２からアップロードされた証憑画像データおよび付加情報を取得すると（Ｓ１１）、証憑種類が通帳９０であるか否かを判別する（Ｓ１２）。ここでは、付加情報に含まれる証憑種類が、通帳９０を示す場合、証憑種類が通帳９０であると判定する。メインサーバー４は、Ｓ１２：Ｙｅｓの場合、付加情報に含まれる通帳ページの識別情報と同一の識別情報が対応付けられた通帳画像データが通帳画像データＤＢ４５ｃに記憶されているか否かを判別する（Ｓ１３）。
【００７０】
メインサーバー４は、アップロードされた証憑画像データの通帳９０に対応する通帳画像データが通帳画像データＤＢ４５ｃに記憶されていた場合（Ｓ１３：Ｙｅｓ）、取得部４１０が新たに取得した通帳画像データ（第１通帳画像データ）と、通帳画像データＤＢ４５ｃに記憶されている通帳画像データ（第２通帳画像データ）と、の差分である差分画像データを生成する（Ｓ１４）。また、メインサーバー４はこの差分画像データに対してＯＣＲ処理を行い（Ｓ１５）、当該ＯＣＲ処理により得られた文字情報の中から、必要な文字情報を抽出した処理データを生成する（Ｓ１６）。
【００７１】
一方、メインサーバー４は、アップロードされた証憑画像データの証憑種類が通帳９０以外の証憑（例えばレシートや請求書）であった場合には（Ｓ１２：Ｎｏ）、Ｓ１１にて取得された証憑画像データに対してＯＣＲ処理を行い（Ｓ１７）、当該ＯＣＲ処理により得られた文字情報の中から、必要な文字情報を抽出した処理データを生成する（Ｓ１８）。また、メインサーバー４は、アップロードされた証憑画像データの通帳９０に対応する通帳画像データが通帳画像データＤＢ４５ｃに記憶されていなかった場合（Ｓ１３：Ｎｏ）、Ｓ１１にて取得された証憑画像データ（通帳画像データ）の全ての記帳項目に対してＯＣＲ処理を行い（Ｓ１９）、当該ＯＣＲ処理により得られた文字情報の中から、必要な文字情報を抽出した処理データを生成する（Ｓ２０）。また、メインサーバー４は、Ｓ１６またはＳ２０の後、ＯＣＲ処理および処理データ生成処理が行われた通帳画像データを、通帳画像データＤＢ４５ｃに記憶させる（Ｓ２１）。
【００７２】
メインサーバー４は、Ｓ１８またはＳ２１の後、処理データから特定される取引数に応じて、ポイントの減算処理を行う（Ｓ２２）。また、メインサーバー４は、Ｓ１１にて取得された証憑画像データと、Ｓ１６、Ｓ１８またはＳ２０にて生成された処理データと、会計事務所ＩＤと、日時情報と、通帳ページの識別情報（証憑種類が通帳９０である場合）と、を対応付けて証憑ファイルを生成する（Ｓ２３）。また、メインサーバー４は、生成した証憑ファイルをストレージサーバー５に出力し（Ｓ２４）、証憑ファイルＤＢ５５ｂに記憶させる。
【００７３】
以上説明したとおり、本実施形態のメインサーバー４は、証憑種類が通帳９０である場合であって、取得部４１０が新たに取得した通帳ページの識別情報に対応する通帳画像データが通帳画像データＤＢ４５ｃに記憶されている場合、取得された通帳画像データと、通帳画像データＤＢ４５ｃに記憶されている通帳画像データと、の差分である差分画像データに対して画像データ処理を行う。この構成により、処理済みの通帳画像データに対し、重複して画像データ処理を行うことを防止でき、ひいては通帳画像データに対する処理をより適切に行うことができる。
【００７４】
また、メインサーバー４は、取得部４１０が取得した証憑画像データが、通帳画像データではないと判定した場合には、取得部４１０が取得した証憑画像データに対して処理を行うため、一つのメインサーバー４で、通帳９０だけでなく、通帳以外の証憑に対する処理も行うことができる。
【００７５】
また、メインサーバー４は、画像データ処理に用いられた証憑画像データと、画像データ処理の処理結果を示す処理データと、を対応付けてストレージサーバー５に記憶させるため、会計事務所ＰＣ８により、これらを用いることができる。
【００７６】
また、メインサーバー４は、アップロードされた証憑画像データが、以前に処理されたことのある通帳９０を読み取ったものであった場合、全ての取引の数に応じてポイントを減算するのではなく、差分画像データから特定される取引の数に応じて、ポイント減算を行うため、ユーザーに対してより適切な課金処理を行うことができる。
【００７７】
なお、上記の実施形態に限らず、以下の変形例を採用可能である。
［変形例１］
第２記憶制御部４４０において、画像データ処理部４２０の処理（差分処理）に用いられた第１通帳画像データに、差分画像データ（処理データ）から特定される取引情報Ａと、その他の取引情報Ａと、を識別可能とするための画像処理を施して、ストレージサーバー５に記憶させてもよい。図１５は、本変形例に係る通帳画像データを、会計事務所ＰＣ８のディスプレー８８に表示した表示例を示す図である。同図の例では、画像データ処理部４２０の処理に用いられた通帳画像データに、追加された２件分の取引情報Ａを囲む枠画像９５を重ねる画像処理を行った場合を例示している。この構成によれば、会計事務所ＰＣ８を操作するユーザーが、差分画像データから特定される取引情報Ａ（新たに処理された取引情報Ａ）と、その他の取引情報Ａ（過去に処理された取引情報Ａ）と、を識別することができる。なお、同図に示した画像処理以外にも、追加された取引情報Ａの近傍にマークを付す処理や、追加された２件分の取引情報Ａの文字に文字装飾を施す（太字、色付き文字に変更するなど）処理を行ってもよい。
【００７８】
また、さらなる変形例として、第２記憶制御部４４０において、画像データ処理部４２０の処理に用いられた通帳画像データに画像処理を施したデータと、処理データと、取得部４１０が取得した第１通帳画像データと、を対応付けてストレージサーバー５に記憶させてもよい。この構成によれば、画像処理を施したデータと、処理データと、の他、通帳原本の読み取り結果を示す通帳画像データ（第１通帳画像データ）を、会計事務所ＰＣ８等において用いることができる。
【００７９】
［変形例２］
上記の実施形態において、処理対象決定部４２２は、取得された通帳画像データと同じ通帳ページの通帳画像データが通帳画像データＤＢ４５ｃに記憶されているか否かを、識別情報が同じか否かに応じて判別したが、必ずしも識別情報に含まれる全ての情報が一致しなくてもよい。例えば、金融機関名とページ番号が一致した場合、同じ通帳ページの通帳画像データであると判定してもよい。また、識別情報に基づいて判別するのではなく、通帳画像データの画像解析により、同じ通帳ページの通帳画像データであるか否かを判別してもよい。この場合、例えば取得された通帳画像データの１行目の取引情報Ａを含む画像領域と、通帳画像データＤＢ４５ｃに記憶されている通帳画像データの対応する画像領域と、を照合し、その照合結果に基づいて、同じ通帳ページの通帳画像データであるか否かを判別してもよい。
【００８０】
［変形例３］
上記の実施形態において、課金処理部４５０は、処理データから特定される取引数に応じた分のポイントを、事前に入金された金額に応じて付与されたポイントから減算したが、他の課金方法を採用してもよい。例えば、取引数に応じた金額を加算していき、所定期間ごとに請求処理を行ってもよい。
【００８１】
［変形例４］
上記の実施形態では、「処理装置」の一例としてメインサーバー４を例示したが、メインサーバー４を複数のサーバーで実現してもよい。また、メインサーバー４の一部の処理を、外部サーバーで実現してもよい。例えば、ＯＣＲ処理部４２３および処理データ生成部４２４の処理を、外部サーバーで実現してもよい。また、メインサーバー４のＨＤＤ４５の一部（例えば、通帳画像データＤＢ４５ｃ）を、外部サーバーに設けてもよい。
【００８２】
また、さらなる変形例として、これらＯＣＲ処理部４２３および処理データ生成部４２４の処理を人により行い、人によって抽出された情報（日付、出金額、入金額および取引先などの情報）をメインサーバー４が取得する構成でもよい。この場合、メインサーバー４は、処理対象決定部４２２により決定された処理対象となる画像データを、人が操作する情報処理端末に出力すればよい。
【００８３】
また、さらなる変形例として、メインサーバー４により、会計事務所ＰＣ８の処理を行ってもよい。例えば、メインサーバー４内で仕訳処理を行い、メインサーバー４と接続された情報処理端末により、仕訳処理結果を参照可能な構成としてもよい。
【００８４】
［変形例５］
また、「処理装置」として、サーバーではなく、ＰＣやタブレット端末等の情報処理端末を採用してもよい。この場合、上記のネットワークＮＷ１〜ＮＷ４の一部または全てを、他の通信手段（ブルートゥース通信や赤外線通信、ケーブル接続など）に変更してもよい。同様に、携帯端末２に代えて、ＰＣ等の情報処理端末を採用してもよい。また、会計事務所ＰＣ８についても、ＰＣではなく、タブレット端末等の情報処理端末を採用してもよい。
【００８５】
［変形例６］
上記の実施形態において、携帯端末２は、証憑種類として通帳９０が入力された場合、スキャナー１の１回のスキャンごとに通帳画像データを取得したが、スキャナー１側で、複数の通帳ページのスキャンを連続して行い、その複数の通帳ページ分の読み取り結果をまとめて取得してもよい。また、携帯端末２は、この複数の通帳ページ分の読み取り結果を、まとめてメインサーバー４にアップロードしてもよい。この場合、メインサーバー４において、複数の通帳ページ分の読み取り結果を、各通帳ページのデータに分割して処理することが好ましい。
【００８６】
また、同様に、領収書や請求書などの証憑について、複数枚をスキャナー１にて一括スキャンしてもよい。この場合も、メインサーバー４において、各証憑の証憑画像データに分割して処理することが好ましい。
【００８７】
［変形例７］
上記の実施形態において、「通帳ページ」とは、通帳９０の見開き２ページを指すものとしたが、通帳９０の片面１ページを指すものとしてもよい。つまり、通帳９０の片面１ページ分を読み取った画像データを、「通帳画像データ」としてもよい。
【００８８】
また、さらなる変形例として、通帳９０に含まれるページの一部（通帳ページ）を読み取った画像データではなく、通帳９０の全ページを読み取った画像データを「通帳画像データ」としてもよい。この場合、メインサーバー４の取得部４１０は、通帳画像データと、当該通帳画像データが読み取られた通帳９０の識別情報と、を取得し、第１記憶制御部４３０は、画像データ処理部４２０の処理に用いられた通帳画像データを、当該通帳画像データが読み取られた通帳９０の識別情報と対応付けて通帳画像データＤＢ４５ｃに記憶させればよい。
【００８９】
［変形例８］
上記の実施形態において、メインサーバー４は、証憑画像データと共にアップロードされた付加情報に基づいて証憑種類を判別したが、証憑画像データを画像解析することにより証憑種類を判別してもよい。また、通帳ページの識別情報の一部として、通帳ページのページ番号については、通帳９０ごとに決められた所定の領域をＯＣＲ処理することにより、取得するようにしてもよい。
【００９０】
［変形例９］
上記の実施形態では、スキャナー１で読み取った証憑画像データを、携帯端末２を介してメインサーバー４にアップロードしたが、スキャナー１から直接メインサーバー４にアップロードしてもよい。また、スキャナー１に代えて、スキャナー機能を有する複合機を用いてもよい。
【００９１】
［変形例１０］
上記の実施形態において、取得部４１０は、携帯端末２からアップロードされた証憑画像データを取得したが、取得先は携帯端末２に限らない。例えば、携帯端末２からアップロードされた証憑画像データを、メインサーバー４と通信可能な外部サーバーまたはメインサーバー４内の記憶領域に蓄積しておき、蓄積された証憑画像データをメインサーバー４（ＣＰＵ４１）が定期的に取得してもよい。若しくは、蓄積された証憑画像データの中から、ユーザー（携帯端末２等）が処理対象として選択したものを、メインサーバー４（ＣＰＵ４１）が取得してもよい。つまり、本発明の「取得部が新たに取得した第１通帳画像データ」は、携帯端末２から新たに取得した通帳画像データのみならず、外部サーバーまたはメインサーバー４内の記憶領域から新たに取得した通帳画像データであってもよい。
【００９２】
［その他の変形例］
上記の実施形態および変形例に示したメインサーバー４の各処理を、ＣＰＵ４１が実行するためのプログラム（Ｗｅｂアプリケーション４５ａおよびメインプログラム４５ｂ）、またそのプログラムを記録したコンピューター読み取り可能な記録媒体（ＣＤ−ＲＯＭ、フラッシュメモリーカード等）も、本発明の権利範囲に含まれる。その他、本発明の要旨を逸脱しない範囲で、適宜変更が可能である。
【符号の説明】
【００９３】
４…メインサーバー、４１０…取得部、４２０…画像データ処理部、４２１…画像データ判別部、４２２…処理対象決定部、４２３…ＯＣＲ処理部、４２４…処理データ生成部、４３０…第１記憶制御部、４４０…第２記憶制御部、４５０…課金処理部
【図１】
2019045932.tif 000003
【図２】
2019045932.tif 000004
【図３】
2019045932.tif 000005
【図４】
2019045932.tif 000006
【図５】
2019045932.tif 000007
【図６】
2019045932.tif 000008
【図７】
2019045932.tif 000009
【図８】
2019045932.tif 000010
【図９】
2019045932.tif 000011
【図１０】
2019045932.tif 000012
【図１１】
2019045932.tif 000013
【図１２】
2019045932.tif 000014
【図１３】
2019045932.tif 000015
【図１４】
2019045932.tif 000016
【図１５】
2019045932.tif 000017